(57)【要約】【課題】飾り玉を飾り枠に取り付けるのが容易で見映えも良い瓔珞の提供を目的とする。【解決手段】仏壇飾り用瓔珞であって、飾り枠と飾り玉とを備え、飾り枠は上方又は斜め上方に開口部を有し、当該開口部の下に収納凹部を有するフック部を有し、飾り玉は吊り下げ部を有し、吊り下げ部の水平方向幅はフック部の開口幅寸法より小さく、かつ垂直方向幅はフック部の開口幅寸法より大きくなっていて、飾り玉を吊り下げ部の水平方向幅がフック部開口部に臨むように挿入し、収納凹部に垂下したものであることを特徴とする。【選択図】  図１
0003126890.tif 000002
【実用新案登録請求の範囲】
【請求項１】
仏壇飾り用瓔珞であって、
飾り枠と飾り玉とを備え、
飾り枠は上方又は斜め上方に開口部を有し、当該開口部の下に収納凹部を有するフック部を有し、飾り玉は吊り下げ部を有し、吊り下げ部の水平方向幅はフック部の開口幅寸法より小さく、かつ垂直方向幅はフック部の開口幅寸法より大きくなっていて、飾り玉を吊り下げ部の水平方向幅がフック部開口部に臨むように挿入し、収納凹部に垂下したものであることを特徴とする瓔珞。
【請求項２】
仏壇飾り用瓔珞であって、
飾り枠と飾り玉とを備え、
飾り枠は上方又は斜め上方に開口部を有し、当該開口部の下に収納凹部を有するフック部を有し、飾り玉は吊り下げ部を有し、
フック部は、開口部の外側寸法が内側寸法より大きくなっていて、飾り玉の吊り下げ部の径が開口部の外側寸法より同等あるいは小さくて開口部の内側寸法より大きく、飾り玉の吊り下げ部をフック部の開口部より挿入し、収納凹部に垂下したものであることを特徴とする瓔珞。
【考案の詳細な説明】
【技術分野】
【０００１】
本考案は、仏殿、仏壇飾りに用いる瓔珞に関し、特に飾り玉の取り付け構造に係る。
【背景技術】
【０００２】
仏殿や仏壇等においては、輪灯や隅灯の周縁部に飾りとして瓔珞を吊り下げている。
この種の瓔珞は笠部の下に、羽根状の４つ枠、３つ枠からなる飾り枠を数珠繋ぎに連節して吊り下げてあり、この飾り枠には、鈴又は風鈴等の形を形成した飾り玉を取り付けてあるのが一般的である。
飾り玉を飾り枠に取り付ける従来の構造は実公平６−４１５０２号公報にも記載してあるとおり、図７に示すように、飾り枠１２０に結びつけた飾り玉１３０は鈴１３１と複数のビーズ１３２とを糸１３３で繋ぎ、飾り枠の取り付け孔１２１に結びつけるものである。
瓔珞には数百もの飾り玉を取り付ける必要があり、このように１つ１つを糸で結びつける作業は非常に大変であるだけでなく、細かい作業のため能率も悪い問題があった。
【０００３】
【特許文献１】実公平６−４１５０２公報
【考案の開示】
【考案が解決しようとする課題】
【０００４】
本考案は、上記背景技術に鑑みて、飾り玉を飾り枠に取り付けるのが容易で見映えも良い瓔珞の提供を目的とする。
【課題を解決するための手段】
【０００５】
本考案に係る瓔珞は、仏壇飾り用瓔珞であって、飾り枠と飾り玉とを備え、飾り枠は上方又は斜め上方に開口部を有し、当該開口部の下に収納凹部を有するフック部を有し、飾り玉は吊り下げ部を有し、吊り下げ部の水平方向幅はフック部の開口幅寸法より小さく、かつ垂直方向幅はフック部の開口幅寸法より大きくなっていて、飾り玉を吊り下げ部の水平方向幅がフック部開口部に臨むように挿入し、収納凹部に垂下したものであることを特徴とする。
【０００６】
また、フック部の弾性を利用した場合に、仏壇飾り用瓔珞であって、飾り枠と飾り玉とを備え、飾り枠は上方又は斜め上方に開口部を有し、当該開口部の下に収納凹部を有するフック部を有し、飾り玉は吊り下げ部を有し、フック部は、開口部の外側寸法が内側寸法より大きくなっていて、飾り玉の吊り下げ部の径が開口部の外側寸法より同等あるいは小さくて開口部の内側寸法より大きく、飾り玉の吊り下げ部をフック部の開口部より挿入し、収納凹部に垂下したものであることを特徴としてもよい。
ここで飾り玉の吊り下げ部の径がフック部の開口部の外側寸法と同等とはフック部の広がり弾性を利用して挿入できる大きさをいう。
【０００７】
飾り枠は羽根状であって四方に放射状に広がった４つ枠タイプでも、三方に放射状に広がった３つ枠タイプでもよく、これらの飾り枠にフック部を形成してある。
材質は特に限定されないが一般的には金箔を貼り付けたものや、金メッキ等を施したものが多い。
飾り玉は鈴や風鈴を型採った形状のものが多いが吊り下げ部を有すれば特に限定されない。
【考案の効果】
【０００８】
本考案に係る瓔珞においては、飾り枠に設けた上方又は斜め上方に開口したフック部の開口寸法より小さい水平方向幅と大きい垂直方向幅とを有する吊り下げ部を設けた飾り玉としたことにより、飾り玉を手に持って吊り下げ部の先をフック部の開口部に差し込むように挿入し、飾り玉を垂下させるだけで極めて容易に飾り玉を飾り枠に取り付けることができ、かつ、飾り玉の吊り下げ部の垂直方向幅がフック部の開口寸法より大きいので飾り玉がフック部より抜け落ちるのを効果的に防止する。
また、フック部の開口部の外側寸法を内側寸法より大きくし、飾り玉の吊り下げ部の径を開口部の内側寸法より少し大きくすると、吊り下げ部を開口部が広がるように挿入するだけで、開口部が弾性復帰して飾り玉の抜け防止となる。
【考案を実施するための最良の形態】
【０００９】
本考案に係る瓔珞１０の実施例を図４に示す。
笠部１１から複数の飾り枠２０を数珠繋ぎにして吊り下げるとともに、いくつもの数珠繋ぎ状の飾り枠を笠部１１から垂下してある。
笠部１１及び飾り枠２０の形状、大きさ等は図４に示すものに限定されるものでなく、各種形状が採用される。
飾り枠２０には飾り玉３０が複数取り付けてあり、その構造例を図１及び図２に示す。
飾り枠２０は２枚の羽根状のピース２０ａ、２０ｂを中央部で差し込み、クロスさせた４つ枠タイプの例となっている。
飾り枠２０には飾り玉３０、３０ａを取り付けるフック部２１を形成してある。
図１に示した飾り玉３０は吊り下げ部３１と鈴状部３２をビーズ状部３３で連節した形状に形成した樹脂製の飾り玉の例で金属や木であってもよく、表面には金箔、金メッキ、金色箔、あるいは金着色を施してある。
図２に示した飾り玉３０ａの例は風鈴３２ａを型採った飾り玉の例である。
【００１０】
図３に基づいて、飾り玉３０を飾り枠２０に取り付ける構造例を説明する。
飾り枠２０のフック部２１は斜め上方に開口した開口部２２とその下に収納凹部２３を形成してある。
一方、飾り玉３０にはリング状の吊り下げ部３１を形成してある。
飾り玉３０を垂下した状態での吊り下げ部３１は、フック部２１の開口部２２の開口寸法Ａと同等もしくは小さい水平方向幅ａと、この開口寸法Ａよりも大きい垂直方向幅ｂとなっている。
なお、吊り下げ部は本実施例に示したリング状に限るものではなく三角枠状、四角枠状あるいは鉤状でもよい。
また、水平方向幅ａの寸法をフック部２１の開口寸法Ａよりも小さくしたのは、飾り玉２０の鈴状部３２等を持って飾り玉３０の先をフック部２１に挿入する作業性を考慮したものであり、飾り玉３０が図３（ｄ）（ｅ）に示すように垂下すると、垂直方向幅ｂがフック部２１の開口寸法Ａより大きく、飾り玉３０がフック部２１より抜け落ちるのを防止できる。
従って、ここで吊り下げ部３１の垂直方向幅ｂの寸法がフック部２１の開口寸法Ａより大きいとは飾り玉３０の抜け落ちを防止する趣旨であり、その意味において概ね垂直方向幅ｂがＡ寸法より大きければよい。
また、収納凹部２３のＢ寸法は吊り下げ部３１のｂ寸法より大きい。
これにより、瓔珞に数十〜数百の飾り玉を取り付ける作業が飛躍的に向上するとともに見映えもよい瓔珞が得られる。
【００１１】
フック部の他の実施例を図５に示す。
開口部２２がフック部２１の２１ａ、２１ｂで形成され、外側寸法Ｄが内側寸法Ｃよりもやや大きく、飾り玉３０の吊り下げ部３１の径ｃがＤ寸法よりも同等あるいは小さく、Ｃ寸法よりも大きいとフック部２１の広がり弾性を利用して図５（ｂ）、（ｃ）に示すように飾り玉３０の吊り下げ部３１を収納凹部２３に挿入するだけで落下防止になる。
【００１２】
飾り玉の他の実施例を図６に示す。
図６（ａ）に示す飾り玉３０ｂは、略三角枠状の吊り下げ部３１ｂと鈴状部３２ｂをビーズ状部３３ｂで連節した形状に形成してある。
図６（ｂ）に示す飾り玉３０ｃは、略三角枠状の吊り下げ部３１ｃと鈴状部３２ｃを連節した形状に形成し、ビーズ部を省略した型となっている。
吊り下げ部は、リング状、略三角枠状、略四角枠状、略Ｄ枠状等形状を限定しない。
鈴状部は、鈴状、風鈴状等形状を限定しない。
吊り下げ部と鈴状部を有する飾り玉には、ビーズ状部等の装飾を装飾目的に応じて適宣に備えるのがよい。
【図面の簡単な説明】
【００１３】
【図１】鈴型飾り玉の取り付け例を示す。
【図２】風鈴型飾り玉の取り付け例を示す。
【図３】飾り玉の飾り枠への取り付け構造例を示す。
【図４】瓔珞の例を示す。
【図５】フック部の弾性を利用した吊り下げ例を示す。
【図６】飾り玉の他の実施例を示す。
【図７】従来の飾り玉の結び方法を示す。
【符号の説明】
【００１４】
１０      瓔珞
１１      笠部
２０      飾り枠
３０      飾り玉
【図１】
0003126890.tif 000003
【図２】
0003126890.tif 000004
【図３】
0003126890.tif 000005
【図４】
0003126890.tif 000006
【図５】
0003126890.tif 000007
【図６】
0003126890.tif 000008
【図７】
0003126890.tif 000009